(57)【特許請求の範囲】
【請求項１】
クロック供給元から拡張スロットへつながるクロックラインの途中に設けられ，トライステートバッファからなるクロックバッファと；
拡張スロットから供給されるボード搭載信号に応じて，前記クロックバッファを動作制御するコントローラと；
を備え，
拡張ボードが搭載されない拡張スロットへのクロック信号伝送を抑止し，拡張ボードの非搭載時に前記クロックラインのレベルをハイインピーダンスとすることを特徴とするコンピュータの電磁波抑制装置。
【請求項２】
クロック発生器からクロックバッファまでのクロックラインに終端抵抗を設定してある請求項１に記載のコンピュータの電磁波抑制装置。
【請求項３】
クロックバッファから拡張スロットまでのクロックラインに終端抵抗を設定してある請求項１又は２のいずれか１項に記載のコンピュータの電磁波抑制装置。
【発明の詳細な説明】
【０００１】
【発明の属する技術分野】
本発明はコンピュータ（データ処理装置）に関し、特に、その電磁波抑制機能に関するものである。
【０００２】
【従来の技術】
図１は、パソコンの内部構造を示している。このコンピュータ１００は、システムメインボード１０に多数の拡張スロット１４をもち、その拡張スロット１４に拡張ボード１６を搭載することができる。メインボード１０はＤＲＡＭバンク１８、ＣＰＵなどを備え、パワーサプライ８、ディスクドライブ２０，２２が接続されている。
【０００３】
図２はＡＴタイプパソコンのシステムブロック図である。拡張スロット１４は、ＩＳＡバスやＡＴバスのようなバス２６とスロット底面のコネクタを通じて接続している。バス２６にはクロック信号が印加され、これが基準周波数のクロックとして拡張ボード１６へ提供される。その基準周波数は、クロックジェネレータ１３によるＣＰＵのクロック周波数であったり、あるいは、パソコン１００に備えられたシステムタイマー５４、リアルタイムクロック５６などその他のオシレータによるものであったりする。すなわち、拡張ボード１６のクロック供給元としては、クロックジェネレータ１３やＣＰＵ１２、システムタイマー５４、リアルタイムクロック５６がある。
【０００４】
コンピュータ１００にはこの他に、アドレスバッファ３０及びデータバッファ３２を通じて拡張バス２６へつながるＣＰＵ１２のローカルバス２４や、直並列入出力ポート４８、キーボードコントローラ５０、インタラプトコントローラ５２、タイマー５４及びリアルタイムクロック５６を接続するＩ／Ｏバス２８も含まれいてる。
【０００５】
パソコンの動作周波数はラジオ受信機やテレビ受像機などの補足可能範囲にあるため、パソコンの動作により発生される電磁波はノイズの原因となるなど、他の電子機器に影響する。そこでメーカーでは、電磁波を抑制するための各種手法を使用しており、たとえば、ケーブル周囲に取り付けるフェライトビーズなどがよく知られている。
【０００６】
クロック信号を供給するためのバス中のクロックラインは、ある程度以上に長くなると信号伝送に伴って高周波を放出する。そこで、クロックラインの固有インピーダンスをクロックドライバのインピーダンスと整合させることにより、電磁波の放射を極力抑えている。しかし、クロックドライバの出力インピーダンスはクロック信号のライジングエッジとフォーリングエッジで変化があるために、クロックドライバとクロックラインとの完全なインピーダンスマッチングは実質的に不可能である。
【０００７】
図１や図２に示すような末端に拡張スロット１４をもつクロックラインの場合、メインボード１０上での長さがかなり長くなる。そして通常、このようなクロックラインは、拡張ボード１６の搭載有無に関係なくクロック信号を印加する設計とされる。したがって、拡張スロット１４に拡張ボード１６が搭載されずに開放端とされた負荷をもたないクロックラインは、アンテナのような役割を果たして電磁波を放射してしまう。
【０００８】
図３は、開放端のクロックラインにクロック信号が印加されるときの電磁波発生について説明している。メインボードに形成されたクロックライン６２は、クロックドライバの出力端子と拡張スロットとの間に配線されている。符号６４はメインボードの接地、Ｒｓはクロックドライバの内部インピーダンス、Ｒｔはクロックライン６２の終端抵抗を示す。
【０００９】
終端接続(termination) がクロックライン６２につくられているとしても、拡張スロットに拡張ボードやＥＤＯメモリなどが搭載されなければクロックライン６２は開放端である。この無負荷のクロックライン６２はアンテナの役割をもつため、該クロックラインにクロック信号が供給される限り電磁波が放射され続けることになる。
【００１０】
【発明が解決しようとする課題】
上記のような従来技術に鑑みて本発明は、拡張ボードを搭載していない拡張スロットのクロックラインによる電磁波を効果的に抑制することを可能とするコンピュータの電磁波抑制装置を提供するものである。
【００１１】
【課題を解決するための手段】
本発明の電磁波抑制装置は、クロック供給元から拡張スロットへつながるクロックラインの途中にクロックバッファを設け、該クロックバッファの動作制御により、拡張ボードが搭載されない拡張スロットへのクロック信号伝送を抑止することを特徴としている。そのクロックバッファは、クロックラインごとに設けたトライステートバッファからなるものとすることができる。また、クロック発生器からクロックバッファまでのクロックラインに終端抵抗を設定し、クロックバッファから拡張スロットまでのクロックラインに終端抵抗を設定しておくとよい。
【００１２】
【発明の実施の形態】
図４に、電磁波抑制装置の実施形態についてブロック図を示してある。
【００１３】
クロック供給元のクロック発生器６０により発生されて拡張スロット１４へ送られるクロック信号は、すべて一旦クロックバッファ７０へ入力される。クロックバッファ７０は必要数設けたトライステートバッファの集合体で、その各トライステートバッファを介し伝送されるクロック信号が拡張スロット１４のそれぞれへ提供される。各トライステートバッファは、コントローラ８０による活性信号ＢＯＥ１〜ｎによりそれぞれ動作制御される。クロック発生器６０からクロックバッファ７０までのクロックラインＣｌｏｃｋ１〜ｎには終端抵抗Ｒ１〜Ｒｎが設定され、クロックバッファ７０から拡張スロット１４までのクロックラインＢＣＬＫ１〜ｎには終端抵抗ＲＴ１〜ＲＴｎが設定されている。
【００１４】
拡張スロット１４はスロットＳ１〜Ｓｎをもち、たとえばスロットＳ１，Ｓ２，…がＰＣＩ拡張スロット、スロットＳｎがＩＳＡ拡張スロットとすることができる。各スロットＳ１〜Ｓｎはそれぞれボード搭載信号Ｐ１１・Ｐ１２，Ｐ２１・Ｐ２２，…，Ｐｎ１・Ｐｎ２をコントローラ８０へ提供し、拡張ボードの搭載を知らせている。ボード搭載信号を提供する端子は専用に用意せずとも、未使用ピンなどの流用で補える。
【００１５】
コントローラ８０は、拡張スロット１４から提供される各ボード搭載信号のレベルを検出して拡張ボード搭載有無を確認する。そしてこれに従い、対応する活性信号ＢＯＥ１〜ｎをクロックバッファ７０へ発生して必要なトライステートバッファを活性化させ、拡張ボードが搭載されているスロットＳ１〜Ｓｎへクロック信号を提供する。たとえば、スロットＳ１に拡張ボードが搭載されたとすると、そのボード搭載信号Ｐ１１・Ｐ１２が搭載を示すレベルとなり、これに従いコントローラ８０が活性信号ＢＯＥ１を発生することによりクロックバッファ７０からクロックラインＢＣＬＫ１へクロック信号がのせられる。
【００１６】
一方、ボード搭載信号が拡張ボード搭載無しを示すレベルにあるスロットＳ１〜Ｓｎに対しては、対応する活性信号ＢＯＥ１〜ＢＯＥｎを抑止にしてトライステートバッファを非活性（ハイインピーダンス）とし、クロックラインＢＣＬＫ１〜ｎへのクロック信伝達を阻止する。すなわちたとえば、スロットＳ１には拡張ボードが搭載されなかったとすると、そのボード搭載信号Ｐ１１・Ｐ１２が無搭載を示すレベルとなるので、これに従いコントローラ８０が活性信号ＢＯＥ１を抑止することによりクロックバッファ７０でクロックラインＢＣＬＫ１へのクロック伝送を遮断する。
【００１７】
このような制御を行うことにより、クロックバッファ７０と拡張ボード無搭載の拡張スロット１４との間のクロックラインにはクロック信号による電流が流れないので、電磁波の発生は抑制される。クロック発生器６０からクロックバッファ７０までのクロックラインＣｌｏｃｋ１〜ｎは、クロックバッファ７０の各トライステートバッファへ接続されるので開放端とはならず、そして、クロックバッファ７０を設けたことにより短くすることができるので、電磁波発生は抑制される。また、クロックバッファ７０を設けたことにより、拡張ボードを搭載しないことで開放端となるクロックラインＢＣＬＫ１〜ｎに対してクロック信号伝送が抑止され、さらに拡張スロット１４までのクロックラインＢＣＬＫ１〜ｎは短くすることができるので、電磁波発生が大幅に抑制される。
【図面の簡単な説明】
【図１】パソコン内部構造の概略斜視図。
【図２】コンピュータのシステムブロック図。
【図３】開放端クロックラインの電磁波発生について示した説明図。
【図４】本発明による電磁波抑制装置のブロック図。
【符号の説明】
１４  拡張スロット
６０  クロック発生器
７０  クロックバッファ
８０  コントローラ
Ｃｌｏｃｋ１〜ｎ，ＢＣＬＫ１〜ｎ  クロックライン
ＢＯＥ１〜ｎ  活性信号
Ｐ１１〜Ｐｎ２  ボード搭載信号
【図１】
0003706469.tif 000002
【図２】
0003706469.tif 000003
【図３】
0003706469.tif 000004
【図４】
0003706469.tif 000005